(57)【特許請求の範囲】
【請求項１】
器具がビスを用いて取り付け固定される配線ボックスであって、
ボックス本体と、前記ビスを固定するためのビス固定具とからなり、
前記ボックス本体は、前記器具が取り付けられる器具取付部を備え、
前記器具取付部は、前記ビスが挿入されるビス挿入孔と、そのビス挿入孔に連通して前記ビス固定具が収容される収容部とを有し、
前記ビス固定具は、金属製であって、ばね性を有する板材からなり、かつ、
前記ビス固定具は、基板部と、その基板部から前記ビス挿入孔に向かって延設される弾性片とを備え、その弾性片の先端部分が、前記ビス挿入孔に挿入された前記ビスのビス軸外周面に係合してそのビスを抜け止め状態に係止する係止部となり、
前記収容部には、前記弾性片が前記ビスの前記ビス挿入孔への挿入方向へ撓むのを許容する、許容空間が設けられ、また、
前記ビス固定具は、前記基板部と前記弾性片に加えて、規制部を備え、その規制部は、前記弾性片が前記ビスの前記ビス挿入孔からの抜け方向へ撓むのを規制すべく、前記弾性片に対し、前記ビスの抜け方向側にて対向位置することを特徴とする、配線ボックス。
【発明の詳細な説明】
【技術分野】
【０００１】
この発明は、器具がビスを用いて取り付け固定される配線ボックスに関するものである。
【背景技術】
【０００２】
従来、配線ボックスとして、図９に示されるものがあった（例えば、特許文献１参照）。この配線ボックス１４は、建物の壁１１の裏側に配備されるものであって、配線ボックス１４には、器具１２がビス１３を用いて取り付け固定された。ここで、配線ボックス１４は、ボックス本体１５の周壁１５ａから内側へ突出したボス部１５ｂを備えており、そのボス部１５ｂに、ビス１３を固定するためのビス固定具１６が収容されていた。そして、このビス固定具１６は、基板部１６ａから延設された弾性片１６ｂを備えており、その弾性片１６ｂが、ボス部１５ｂの挿入孔１５ｃに挿入されたビス１３の雄ねじに係合することで、そのビス１３の抜けを阻止した。
【０００３】
【特許文献１】特開２００７−７４８０８号
【発明の開示】
【発明が解決しようとする課題】
【０００４】
ところで、前記従来の配線ボックス１４にあっては、ビス１３を、ボス部１５ｂの挿入孔１５ｃに押し込んだ後に、締め込むように回動すると、ビス固定具１６の弾性片１６ｂが、ビス頭部１３ａ側に反り返るように変形してしまい、しっかりと締め込むことができない虞があった。
【０００５】
この発明は、上記した従来の欠点を解決するためになされたものであり、その目的とするところは、ビスをしっかりと締め込むことができる配線ボックスを提供することにある。
【課題を解決するための手段】
【０００６】
この発明に係る配線ボックスは、前記目的を達成するために、次の構成からなる。すなわち、
請求項１に記載の発明に係る配線ボックスは、器具がビスを用いて取り付け固定される配線ボックスであって、ボックス本体と、前記ビスを固定するためのビス固定具とからなる。ここにおいて、前記ボックス本体は、前記器具が取り付けられる器具取付部を備える。そして、前記器具取付部は、前記ビスが挿入されるビス挿入孔と、そのビス挿入孔に連通して前記ビス固定具が収容される収容部とを有する。一方、前記ビス固定具は、金属製であって、ばね性を有する板材からなる。そして、前記ビス固定具は、基板部と、その基板部から前記ビス挿入孔に向かって延設される弾性片とを備え、その弾性片の先端部分が、前記ビス挿入孔に挿入された前記ビスのビス軸外周面に係合してそのビスを抜け止め状態に係止する係止部となる。そこで、前記収容部には、前記弾性片が前記ビスの前記ビス挿入孔への挿入方向へ撓むのを許容する、許容空間が設けられる。そして、前記ビス固定具は、前記基板部と前記弾性片に加えて、規制部を備え、その規制部は、前記弾性片が前記ビスの前記ビス挿入孔からの抜け方向へ撓むのを規制すべく、前記弾性片に対し、前記ビスの抜け方向側にて対向位置する。
【０００７】
これにより、この配線ボックスに器具を取り付けるには、ボックス本体の器具取付部に設けられたビス挿入孔に、ビスを押し込むようにして挿入する。こうすることで、器具取付部の収容部に収容されたビス固定具の弾性片の先端部分の係止部が、ビス軸外周面に係合してビスを抜け止め状態にする。そこで、ビスを締め込むように回動すると、ビス軸外周面に係合した弾性片が、ビスの抜け方向へ撓もうとする。しかし、この撓みは、弾性片に対して、ビスの抜け方向側にて対向位置する規制部によって規制され、このため、ビスは、ビス固定具、ひいては器具取付部にしっかりと締め込まれる。このようにして、ビスがボックス本体の器具取付部に確実に固定され、器具は、配線ボックスに強固に取り付け固定される。
【０００８】
【０００９】
【００１０】
【００１１】
【００１２】
【発明の効果】
【００１３】
この発明に係る配線ボックスによれば、ビスをビス挿入孔に挿入して、ビスを締め込むように回動したとき、ビス固定具の弾性片の撓みは、ビスの抜け方向側にて対向位置する、前記ビス固定具の規制部によって規制されるため、ビスを器具取付部にしっかりと締め込むことができる。
【発明を実施するための最良の形態】
【００１４】
以下、この発明を実施するための最良の形態を図面に基づいて説明する。
【００１５】
図１〜図５は、本発明の一実施の形態を示す。図中符号１は、建物の壁である。２は、器具であって、コンセントとかスイッチ等の配線器具２ａ（器具本体）が保持パネル２ｂに取り付けられてなる。３は、ビスである。４は、前記器具２がビス３を用いて取り付け固定される配線ボックスである。
【００１６】
ここで、器具２においては、保持パネル２ｂが枠状に形成されており、その枠内に、配線器具２ａが取り付けられる。そして、保持パネル２ｂには、その各側、例えば上下の各側に、ビス３が挿通される孔２ｃが形成されている。
【００１７】
配線ボックス４は、ボックス本体５と、前記ビス３を固定するためのビス固定具６とからなる。ここにおいて、ボックス本体５は、前記器具２が取り付けられる器具取付部５ａを備える。この器具取付部５ａは、前記ビス３が挿入されるビス挿入孔５ｂと、そのビス挿入孔５ｂに連通してビス固定具６が収容される収容部５ｃとを有する。一方、ビス固定具６は、ビス挿入孔５ｂに向かって延設される弾性片６ａを備え、その弾性片６ａの先端部分が、ビス挿入孔５ｂに挿入されたビス３のビス軸外周面３ａに係合してそのビス３を抜け止め状態に係止する係止部６ｂとなっている。そこで、前記収容部５ｃには、前記弾性片６ａがビス３のビス挿入孔５ｂへの挿入方向Ｐへ撓むのを許容する、許容空間５ｄが設けられている（図２、図３参照）。そして、配線ボックス４には、ビス固定具６の弾性片６ａがビス３のビス挿入孔５ｂからの抜け方向Ｑへ撓むのを規制すべく、弾性片６ａに対し、ビス３の抜け方向Ｑ側にて対向位置する規制部７が設けられている（図２、図４参照）。
【００１８】
具体的には、ボックス本体５は、例えば合成樹脂製であって、前側が開放された箱形形状、例えば直方体形状をしている。そこで、前記器具取付部５ａは、ボックス本体５の周壁５ｅの前端部分から、内側に突出するようにして形成される。そして、この器具取付部５ａに、ボックス本体５の前側から後方に向かって、前記ビス挿入孔５ｂが形成される。さらに、器具取付部５ａには、前記収容部５ｃが、ビス挿入孔５ｂと交差する方向に延設されて、その交差する方向に開口するよう形成されている。詳細には、収容部５ｃは、ビス挿入孔５ｂと直交する方向に延設されて、その直交する方向に開口（図示実施の形態においては、ボックス本体５の周壁５ｅ外面に開口）している。そして、この収容部５ｃは、図３に示すように、前後の中間位置のスリット状の幅広部５ｆと、後ろ側の第１幅狭部５ｇと、前側の第２幅狭部５ｈとから構成されている。
【００１９】
ビス固定具６は、金属製であって、ばね性を有する板材、例えば、鋼板とか銅合金板等の金属板からなる。このビス固定具６は、枠状の基板部６ｃを備え、その基板部６ｃから枠内に向かって、前記弾性片６ａが延設される。そして、前記規制部７は、このビス固定具６と一体に設けられている。すなわち、ビス固定具６は、基板部６ｃと弾性片６ａと規制部７とを備えている。詳細には、弾性片６ａは、先端側ほどビス３の挿入方向Ｐ側に位置するように、基板部６ｃの内縁から前記挿入方向Ｐ側に傾くようにして延設されている。そして、弾性片６ａの先端は、ビス挿入孔５ｂに挿入されたビス３のビス軸外周面３ａに沿うように、弧状に形成されるとともに、弾性片６ａの係止部６ｂは、弧状部分の両側においては、ビス軸心３ｂとの角度が大きくなるよう折れ曲がって形成されている（図２、図４参照）。そして、規制部７は、基板部６ｃの外縁からビス３の抜け方向Ｑ側に折り返すようにして延設された規制片６ｄの先端部分からなる。この規制部７となる、規制片６ｄの先端部分は、弾性片６ａに重なるように折れ曲がっているが、係止部６ｂに達しないよう（つまりは、ビス３に達しないよう）、先端側が弾性片６ａよりも若干短く形成されている。
【００２０】
このような構成のビス固定具６は、器具取付部５ａに設けられた収容部５ｃに収容されるが、このとき、基板部６ｃが、幅広部５ｆに収容され、弾性片６ａが、第１幅狭部５ｇに収容され、さらに、規制片６ｄが、第２幅狭部５ｈから幅広部５ｆを経て第１幅狭部５ｇに渡るようにして収容される。そして、収容部５ｃの第１幅狭部５ｇにおける、弾性片６ａよりもビス３の挿入方向Ｐ側が、前記許容空間５ｄとなる。
【００２１】
次に、以上の構成からなる配線ボックス４の作用効果について説明する。この配線ボックス４は、予め、壁１の裏側の柱等に、木ねじ等の固着具により取り付けられている。そこで、この配線ボックス４に器具２を取り付けるには、配線ボックス４に対応して壁１に明けられた壁孔１ａ部分における、壁１の表面に、器具２を宛がう。その後、ビス３を器具２（詳細には、保持パネル２ｂ）に明けられた孔２ｃに通し、続いて、ボックス本体５の器具取付部５ａに設けられたビス挿入孔５ｂに、ビス３を押し込むようにして挿入する。こうすることで、器具取付部５ａの収容部５ｃに収容されたビス固定具６の弾性片６ａの先端部分の係止部６ｂが、ビス軸外周面３ａに係合してビス３を抜け止め状態にする。そこで、ビス３を締め込むように回動すると、ビス軸外周面３ａに係合した弾性片６ａが、ビス３の抜け方向Ｑへ撓もうとする。しかし、この撓みは、弾性片６ａに対して、ビス３の抜け方向Ｑ側にて対向位置する規制部７によって規制され、このため、ビス３は、ビス固定具６、ひいては器具取付部５ａにしっかりと締め込まれる。すなわち、ビス３をビス挿入孔５ｂに挿入する際には、弾性片６ａは、ビス３の挿入方向Ｐ側の許容空間５ｄによって、その全体が撓むことができ、このため、ビス３の挿入が容易となる。これに対して、ビス３をビス挿入孔５ｂに挿入した後に、ビス３を締め込むように回動したときは、弾性片６ａの撓みは、規制部７によって規制されるため、ビス３を器具取付部５ａにしっかりと締め込むことができる。そして、これによって、ビス３がボックス本体５の器具取付部５ａに確実に固定され、器具２は、配線ボックス４に強固に取り付け固定される。
【００２２】
また、規制部７は、ビス固定具６と一体に設けられているため、弾性片６ａに対して規制部７を的確な位置に配置することができ、さらには、別体とした場合に比して、取扱いが容易となる。また、ビス固定具６は、金属製であることから、弾性片６ａにおける弾性力を高めることができるとともに、その弾性力を長期に渡って保つことができる。
【００２３】
なお、本発明は、上述した実施の形態に限定されるわけではなく、その他種々の変更が可能である。例えば、ボックス本体５は、一体に形成されたものでなくとも、例えば、箱形のボックス部材と、そのボックス部材の前面に取り付けられる枠部材とからなる等、複数部材が組み合わされて形成されてもよい。
【００２４】
また、規制部７は、ビス固定具６と一体に設けられなくとも、参考として、図６とか図７および図８に示すように、ボックス本体５と一体に設けられてもよい。図６に示す例においては、規制部７は、収容部５ｃの天面５ｉからビス固定具６の弾性片６ａに向かって突設形成される。また、図７および図８に示す例においては、ビス固定具６における弾性片６ａは、枠状の基板部６ｃの内縁からその基板部６ｃと平行となるように延設される第１弾性部６ｅと、その第１弾性部６ｅから折れ曲がってビス３の挿入方向Ｐ側に傾くように延設される第２弾性部６ｆとからなる。そして、この第２弾性部６ｆの先端部分が、ビス３を抜け止め状態に係止する係止部６ｂとなる。そこで、収容部５ｃの天面５ｉは、平らに真直ぐに延びたそのままの状態で、弾性片６ａの第１弾性部６ｅに対し、ビス３の抜け方向Ｑ側にて対向位置する規制部７となり、この規制部７によって、弾性片６ａが、ビス３の抜け方向Ｑへ撓むのが規制される。
【００２５】
また、図示を省略するが、規制部７は、ビス固定具６と一体に設けられたりボックス本体５と一体に設けられたりしなくとも、参考として、ボックス本体５およびビス固定具６とは別体の規制部材に設けられてもよい。
【００２６】
また、規制部７は、弾性片６ａに当接しているのが好ましいが、近接していたり、若干離れて位置してもよい。この場合には、ビス３をビス挿入孔５ｂに挿入して、ビス３を締め込むように回動すると、弾性片６ａは、規制部７に当接するまでは撓むことができるが、その後は、その撓みは、規制部７によって規制される。
【００２７】
また、ビス固定具６は、弾性片６ａを一つ備えているが、複数備えてもよい。すなわち、弾性片６ａは、例えば、ビス３を挟んで対向するように一対設けられたり、放射状に三つ以上設けられたり、あるいは、ビス３の挿入方向Ｐに並ぶように設けられたりしてもよい。
【図面の簡単な説明】
【００２８】
【図１】この発明の一実施の形態の、縦断面図である。
【図２】同じく、図１におけるＡ部拡大図である。
【図３】同じく、図２におけるＢ矢視図である。
【図４】同じく、図２においてボックス本体のみをＣ−Ｃ線により切断した断面図である。
【図５】同じく、ビス固定具の拡大斜視図である。
【図６】参考形態の、図２相当図である。
【図７】さらに他の参考形態の、図２相当図である。
【図８】同じく、図７におけるＤ−Ｄ線による断面図である。
【図９】従来の配線ボックスを示す縦断面図である。
【符号の説明】
【００２９】
１  建物の壁
２  器具
３  ビス
３ａ  ビス軸外周面
４  配線ボックス
５  ボックス本体
５ａ  器具取付部
５ｂ  ビス挿入孔
５ｃ  収容部
５ｄ  許容空間
６  ビス固定具
６ａ  弾性片
６ｂ  係止部
６ｃ  基板部
７  規制部
Ｐ  挿入方向
Ｑ  抜け方向
【図１】
0005014948.tif 000002
【図２】
0005014948.tif 000003
【図３】
0005014948.tif 000004
【図４】
0005014948.tif 000005
【図５】
0005014948.tif 000006
【図６】
0005014948.tif 000007
【図７】
0005014948.tif 000008
【図８】
0005014948.tif 000009
【図９】
0005014948.tif 000010